(57)【要約】  無線ブロードキャスト通信システムにおいて、第１のサービング通信セル上で動作しており、及び少なくとも１つの第２のサービング通信セルへアクセスするように構成されている少なくとも１つの無線通信ユニットについての制御チャネル変更通知のクロスキャリア標識をサポートするための方法が説明される。当該方法は、基地局（１１０）において、ブロードキャストサービス識別子を含むメッセージを生成することと、当該ブロードキャストサービス識別子は、少なくとも１つの無線通信ユニットによってアクセス可能な少なくとも１つの第２のサービングセルの制御チャネル変更を識別することと、当該メッセージを少なくとも１つの無線通信ユニットに送信することと、を含む。【選択図】図１
2014511600.tif 000002
【特許請求の範囲】
【請求項１】
無線ブロードキャスト通信システムにおいて、第１のサービング通信セル上で動作しており、及び少なくとも１つの第２のサービング通信セルへアクセスするように構成されている少なくとも１つの無線通信ユニットについての制御チャネル変更通知のクロスキャリア標識をサポートするための方法であって、当該方法は、前記基地局（１１０）において、
ブロードキャストサービス識別子を含むメッセージを生成することと、当該ブロードキャストサービス識別子は、前記少なくとも１つの無線通信ユニットによってアクセス可能な前記少なくとも１つの第２のサービングセルの制御チャネル変更を識別することと、
前記メッセージを前記少なくとも１つの無線通信ユニットに送信することと、
を含む、方法。
【請求項２】
前記少なくとも１つの第２のサービング通信セルの前記制御チャネル変更を識別する前記ブロードキャストサービス識別子を含む前記メッセージを生成することは、各々がそれぞれの第２のサービング通信セルを識別する複数のブロードキャストサービス識別子から前記ブロードキャストサービス識別子を選択すること、を含む、請求項１に記載の方法。
【請求項３】
前記少なくとも１つの第２のサービング通信セルの識別子を判定することと、
判定された前記少なくとも１つの第２のサービング通信セルに基づいて第１のブロードキャストサービス識別子をスクランブルし、それによって、前記少なくとも１つの無線通信ユニットによってアクセス可能な少なくとも１つのセカンダリセルの制御チャネル変更を識別する第２のブロードキャストサービス識別子を生成することと、
をさらに含む、請求項１に記載の方法。
【請求項４】
判定された前記少なくとも１つのセカンダリセルに基づいて前記第１のブロードキャストサービス識別子をスクランブルすることは、前記第１のブロードキャストサービス識別子を予め定義されるスクランブリングシーケンスのセットを用いてスクランブルすることを含む、請求項３に記載の方法。
【請求項５】
前記第２のブロードキャストサービス識別子を生成することは、前記第２のブロードキャストサービス識別子が既存の識別子と一致しないことを確認すること、を含む、請求項３又は請求項４に記載の方法。
【請求項６】
前記ブロードキャストサービス識別子を含む前記メッセージを生成することは、前記少なくとも１つの無線通信ユニットによってアクセス可能な少なくとも１つの第２のサービング通信セルの制御チャネル変更を識別するＤＣＩフォーマット１Ｃメッセージの巡回冗長検査（ＣＲＣ）をスクランブルするために前記ブロードキャストサービス識別子を用いること、を含む、請求項１〜５のいずれか１項に記載の方法。
【請求項７】
前記ブロードキャストサービス識別子を用いて前記ＤＣＩフォーマット１Ｃメッセージを生成することは、複数のパディングビットを利用し、それによって、当該パディングビットのビットパターンが前記少なくとも１つの無線通信ユニットによってアクセス可能な少なくとも１つの第２のサービング通信セルのリソース変更を識別すること、を含む、請求項６に記載の方法。
【請求項８】
各々がそれぞれの第２のサービング通信セルを識別する前記複数のブロードキャストサービス識別子間でマッピングすることは、前記それぞれの第２のサービング通信セルを接続される少なくとも１つの無線通信ユニットの数について順序付けること、を含む、請求項２〜７のいずれか１項に記載の方法。
【請求項９】
より上位の層のシグナリングを用いて、第２のサービング通信セルを前記複数の第２のサービング通信セルのリストに加えること、をさらに含む、請求項８に記載の方法。
【請求項１０】
後続のシグナリングにおける使用のための、加えられた前記第２のサービング通信セルのセルインデックスリファレンスを前記より上位の層のシグナリングによって割り当てること、をさらに含む、請求項９に記載の方法。
【請求項１１】
前記制御チャネル変更通知は、マルチキャストブロードキャストマルチメディアサービス（ＭＢＭＳ）制御チャネル（ＭＣＣＨ）変更通知である、請求項１〜１０のいずれか１項に記載の方法。
【請求項１２】
前記ブロードキャストサービス識別子は、マルチキャストブロードキャストマルチメディアサービス（ＭＢＭＳ）無線ネットワーク一時識別子である、請求項１〜１１のいずれか１項に記載の方法。
【請求項１３】
前記無線ブロードキャスト通信システムは、ＬＴＥ（long  term  evolved）マルチキャストブロードキャストマルチメディアサービスをサポートする、請求項１〜１２のいずれか１項に記載の方法。
【請求項１４】
無線ブロードキャスト通信システムにおいて、第１のサービング通信セル上で動作しており、及び少なくとも１つの第２のサービング通信セルへアクセスするように構成されている少なくとも１つの無線通信ユニットについての制御チャネル変更通知のクロスキャリア標識をサポートするための実行可能なプログラムコードを含む、非一時的なコンピュータプログラムプロダクトであって、前記実行可能なプログラムコードは、前記基地局（１１０）において実行される場合、請求項１〜１３のいずれか１項に記載の方法を実行するように動作可能である、非一時的なコンピュータプログラムプロダクト。
【請求項１５】
無線ブロードキャスト通信システムにおいて、第１のサービング通信セル上で動作しており、及び少なくとも１つの第２のサービング通信セルへアクセスするように構成されている少なくとも１つの無線通信ユニットについての制御チャネル変更通知のクロスキャリア標識をサポートするための基地局（１１０）であって、当該基地局（１１０）は、
ブロードキャストサービス識別子を含むメッセージを生成するように構成される信号処理ロジック（２０８）であって、ここで、当該ブロードキャストサービス識別子は、前記少なくとも１つの無線通信ユニットによってアクセス可能な少なくとも１つの第２のサービング通信セルの制御チャネル変更を識別する、信号処理ロジック（２０８）と、
前記メッセージを前記少なくとも１つの無線通信ユニットに送信するための送信機と、
を備える、基地局。
【請求項１６】
無線ブロードキャスト通信システムにおいて、第１のサービング通信セル上で動作しており、及び少なくとも１つの第２のサービング通信セルへアクセスするように構成されている少なくとも１つの無線通信ユニットについての制御チャネル変更通知のクロスキャリア標識をサポートするための基地局のための集積回路であって、当該集積回路は、
ブロードキャストサービス識別子を含むメッセージを生成するように構成される信号処理ロジック（２０８）を備え、当該ブロードキャストサービス識別子は、当該メッセージを前記少なくとも１つの無線通信ユニットに送信するために、当該少なくとも１つの無線通信ユニットによってアクセス可能な少なくとも１つの第２のサービング通信セルの制御チャネル変更を識別する、集積回路。
【請求項１７】
無線ブロードキャスト通信システムにおいて、第１のサービング通信セル上で動作しており、及び少なくとも１つの第２のサービング通信セルへアクセスするように構成されている無線通信ユニット（１２５）についての制御チャネル変更通知のクロスキャリア標識をサポートするための方法であって、当該方法は、前記無線通信ユニット（１２５）において、
前記第１のサービング通信セル上でメッセージを受信することと、
ブロードキャストサービス識別子を復元するために前記メッセージをデコードすることと、当該ブロードキャストサービス識別子は、前記少なくとも１つの無線通信ユニットによってアクセス可能な前記少なくとも１つのサービング通信セルの制御チャネル変更を識別することと、
デコードされた前記メッセージに応じて前記少なくとも１つの第２のサービング通信セルに切り換えることと、
を含む、方法。
【請求項１８】
前記少なくとも１つの第２のサービング通信セルの前記制御チャネル変更を識別する前記ブロードキャストサービス識別子を含む前記メッセージをデコードすることは、各々がそれぞれの第２のサービング通信セルを識別する複数のブロードキャストサービス識別子から前記ブロードキャストサービス識別子を識別すること、を含む、請求項１７に記載の方法。
【請求項１９】
前記少なくとも１つの第２のサービング通信セルの前記制御チャネル変更を識別する前記ブロードキャストサービス識別子を含む前記メッセージをデコードすることは、
判定された前記少なくとも１つのサービング通信セルに基づいて第１のブロードキャストサービス識別子をデスクランブルし、それによって、少なくとも１つの第２のサービング通信セルの前記制御チャネル変更を識別する第２のブロードキャストサービス識別子を生成すること、
を含む、請求項１７に記載の方法。
【請求項２０】
判定された前記少なくとも１つのサービング通信セルに基づいて前記第１のブロードキャストサービス識別子をデスクランブルすることは、複数の第２のサービング通信セルの識別を区別するための予め定義されるスクランブリングシーケンスのセットを用いて前記第１のブロードキャストサービス識別子をデスクランブルすること、を含む、請求項１９に記載の方法。
【請求項２１】
前記ブロードキャストサービス識別子を含む前記メッセージをデコードすることは、前記少なくとも１つの無線通信ユニットによってアクセス可能な少なくとも１つの第２のサービング通信セルの制御チャネル変更を識別するＤＣＩフォーマット１Ｃメッセージをデコードするために前記ブロードキャストサービス識別子を用いること、含む、請求項１７〜２０のいずれか１項に記載の方法。
【請求項２２】
前記ブロードキャストサービス識別子を用いて前記ＤＣＩフォーマット１Ｃメッセージをデコードすることは、ビットパターンが前記少なくとも１つの無線通信ユニットによってアクセス可能な少なくとも１つの第２のサービング通信セルの制御チャネル変更を識別するように、当該ＤＣＩフォーマット１Ｃメッセージにおけるパディングビットの前記ビットパターンを判定すること、を含む、請求項２１に記載の方法。
【請求項２３】
前記制御チャネル変更通知は、マルチキャストブロードキャストマルチメディアサービス（ＭＢＭＳ）制御チャネル（ＭＣＣＨ）変更通知である、請求項１７〜２２のいずれか１項に記載の方法。
【請求項２４】
前記ブロードキャストサービス識別子は、マルチキャストブロードキャストマルチメディアサービス（ＭＢＭＳ）無線ネットワーク一時識別子である、請求項１７〜２３のいずれか１項に記載の方法。
【請求項２５】
前記無線ブロードキャスト通信システムは、ＬＴＥ（long  term  evolved）マルチキャストブロードキャストマルチメディアサービスをサポートする、請求項１７〜２４のいずれか１項に記載の方法。
【請求項２６】
無線ブロードキャスト通信システムにおいて、第１のサービング通信セル上で動作しており、及び少なくとも１つの第２のサービング通信セルへアクセスするように構成されている無線通信ユニット（１２５）についての制御チャネル変更通知のクロスキャリア標識をサポートするための実行可能なプログラムコードを含む非一時的なコンピュータプログラムプロダクトであって、前記無線通信ユニット（１２５）において実行される場合、請求項１６〜２３のいずれか１項に記載の方法を実行する、非一時的なコンピュータプログラムプロダクト。
【請求項２７】
無線ブロードキャスト通信システムにおいて、第１のサービング通信セル上で動作しており、及び少なくとも１つの第２のサービング通信セルへアクセスするように構成されている無線通信ユニット（１２５）についての制御チャネル変更通知のクロスキャリア標識をサポートするための無線通信ユニット（１２５）であって、当該無線通信ユニット（１２５）は、
前記第１のサービング通信セル上でメッセージを受信し、
ブロードキャストサービス識別子を復元するために前記メッセージをデコードし、ここで、当該ブロードキャストサービス識別子は、前記少なくとも１つの無線通信ユニットによってアクセス可能な少なくとも１つの第２のサービング通信セルの制御チャネル変更を識別し、
デコードされた前記メッセージに応じて前記少なくとも１つの第２のサービング通信セルに切り換える、
ように構成される、信号処理ロジック（４０８）、
を備える、無線通信ユニット。
【請求項２８】
無線ブロードキャスト通信システムにおいて、第１のサービング通信セル上で動作しており、及び少なくとも１つの第２のサービング通信セルへアクセスするように構成されている少なくとも１つの無線通信ユニットについての制御チャネル変更通知のクロスキャリア標識をサポートするための無線通信ユニット（１２５）のための集積回路であって、当該集積回路は、
前記第１のサービング通信セル上でメッセージを受信し、
ブロードキャストサービス識別子を復元するために前記メッセージをデコードし、ここで、当該ブロードキャストサービス識別子は、前記少なくとも１つの無線通信ユニットによってアクセス可能な少なくとも１つの第２のサービング通信セルの制御チャネル変更を識別し、
デコードされた前記メッセージに応じて前記少なくとも１つの第２のサービング通信セルに切り換える、
ように構成される、信号処理ロジック（４０８）、
を備える、集積回路。
【請求項２９】
無線ブロードキャスト通信システムにおいて、第１のサービング通信セル上で動作しており、及び少なくとも１つの第２のサービング通信セルへアクセスするように構成されている少なくとも１つの無線通信ユニットについての制御チャネル変更通知のクロスキャリア標識をサポートするための基地局（１１０）を備えるブロードキャスト無線通信システムであって、
当該基地局（１１０）は、
ブロードキャストサービス識別子を含むメッセージを生成するように構成される信号処理ロジック（２０８）であって、ここで、当該ブロードキャストサービス識別子は、前記少なくとも１つの無線通信ユニットによってアクセス可能な少なくとも１つの第２のサービング通信セルの制御チャネル変更を識別する、信号処理ロジック（２０８）と、
前記メッセージを前記少なくとも１つの無線通信ユニットに送信するための送信機と、
を備え、
前記無線通信ユニット（１２５）は、
前記第１のサービング通信セル上でメッセージを受信し、
ブロードキャストサービス識別子を復元するために前記メッセージをデコードし、ここで、当該ブロードキャストサービス識別子は、前記少なくとも１つの無線通信ユニットによってアクセス可能な少なくとも１つの第２のサービング通信セルの制御チャネル変更を識別し、
デコードされた前記メッセージに応じて前記少なくとも１つの第２のサービング通信セルに切り換える、
ように構成される、信号処理ロジック（４０８）、
を備える、ブロードキャスト無線通信システム。
【発明の詳細な説明】
【技術分野】
【０００１】
本発明は、ブロードキャスト通信における制御変更通知のための通信ユニット及び方法に関する。特に、本発明の分野は、ロングタームエボリューション（ＬＴＥ）第３世代パートナーシッププロジェクト（３ＧＰＰＴＭ）セルラ通信システムにおけるクロスキャリア制御チャネルの変更通知に関する。
【背景技術】
【０００２】
現在、第３世代のセルラ通信システムは、携帯電話ユーザに提供される通信サービスをさらに強化するためにインストールされつつある。最も広く採用されている第３世代の通信システムは、符号分割多元接続（ＣＤＭＡ：Code  Division  Multiple  Access）及び周波数分割複信（ＦＤＤ：Frequency  Division  Duplex）技術又は時分割複信（ＴＤＤ：Time  Division  Duplex）技術に基づく。ＣＤＭＡシステムにおいて、ユーザ分割は、同じキャリア周波数上で同じ時間間隔において、異なる拡散符号及び／又はスクランブル符号を異なるユーザに割り当てることによって得られる。これは、異なるタイムスロットを異なるユーザに割り当てることによってユーザ分割が達成される時分割多元接続（ＴＤＭＡ：time  division  multiple  access）システムと対照的である。これらの原理を用いる通信システムの一例は、ユニバーサルモバイルテレコミュニケーションシステム（ＵＭＴＳＴＭ）である。
【０００３】
強化された通信サービスを提供するために、第３世代セルラ通信システムのＬＴＥバージョンは、多種多様な強化されたサービスをサポートするように設計されている。１つのそのような強化されたサービスは、マルチメディアサービスである。携帯電話及び他のハンドヘルドデバイスを介して受信されることができるマルチメディアサービスへの需要は、今後数年にわたって急速に成長することが見込まれる。マルチメディアサービスは、通信されるべきデータコンテンツの性質に起因して、高い帯域幅を必要とする。マルチメディアサービスの提供における典型的な且つ最もコスト効率の高いアプローチは、マルチメディア信号をユニキャスト（即ち、ポイントツーポイント）手法で送信することとは対照的に、マルチメディア信号を「ブロードキャストする（broadcast）」ことである。典型的に、例えば、ニュース、映画、スポーツ等を搬送する数十のチャネルは、通信ネットワーク上で同時にブロードキャストされ得る。ＬＴＥのさらなる説明は、Ｓｅｓｉａ、Ｔｏｕｆｉｋ、Ｂａｋｅｒ著、‘ＬＴＥ−Ｔｈｅ  ＵＭＴＳＴＭ  Ｌｏｎｇ  Ｔｅｒｍ  Ｅｖｏｌｕｔｉｏｎ；  Ｆｒｏｍ  Ｔｈｅｏｒｙ  ｔｏ  Ｐｒａｃｔｉｃｅ’、１１頁、Ｗｉｌｅｙ社、２００９年において見出されることができる。
【０００４】
電波スペクトルは非常に高価であるので、ユーザにできるだけ多くのブロードキャストサービスを提供し、それによって、携帯電話ユーザ（加入者）に最も広いサービスの選択肢を提供するために、スペクトル効率の高い送信技法が必要とされる。ブロードキャストサービスは従来の地上波テレビジョン／ラジオ送信と同様の手法においてセルラネットワーク上で実行され得ることが知られている。従って、Ｅ−ＵＴＲＡのＬＴＥの側面についてのｅＭＢＭＳ（evolved  Mobile  Broadcast  and  Multicast  Service）など、マルチメディアブロードキャストサービスをセルラシステム上で配信するための技術は、過去数年にわたり仕様化されてきた。これらのブロードキャストセルラシステムにおいて、同じブロードキャスト信号は、従来のセルラシステム内の隣接セル上の重複しない物理リソース上で送信される。その結果として、無線加入者ユニットにおいて、受信機は、当該受信機が接続されるセルからのブロードキャスト信号を検出することが可能でなければならない。なお、この検出は、隣接セルの重複しない物理リソース上で送信される付加的な、潜在的に干渉するブロードキャスト信号の存在下で為される必要がある。
【０００５】
スペクトル効率を改善するために、同じブロードキャスト信号が複数のセルによって、ただし同じ（即ち、重複する）物理リソースを用いて送信されるセルラシステムについてブロードキャストソリューションも開発されてきた。これらのシステムにおいて、送信信号は実質的に時間が一致する（time-coincident）ように配置され、それ故に、容量がブロードキャストサービスについて改善されるため、複数のセルは、互いに干渉を引き起こさない。そのようなシステムは、「単一周波数ネットワーク（Single  Frequency  Networks）」又は「ＳＦＮ」54と呼ばれることもある。ＳＦＮシステムにおいて、共通セル識別子（ＩＤ）は、同じコンテンツを同時にブロードキャストすることとなるそれらの（共通の）セルを示すために用いられる。本説明のコンテキストにおいて、「共通セル識別子（common  cell  identifier）」は、ＳＦＮの動作を特定するための任意のメカニズムを包含し、これは、幾つかの例において、例えば、単一のスクランブル符号の使用を包含し得る。
【０００６】
ＬＴＥのｅＭＢＭＳ機能は、３ＧＰＰＴＭ標準仕様にリリース９において導入された。可能とされる場合、（３ＧＰＰＴＭ用語ではユーザ機器（ＵＥ：user  equipment）と呼ばれる）無線加入者ユニットは、ｅＭＢＭＳ送信信号に割り当てられたサブフレームに関して通知される。ＭＢＭＳ制御チャネル（ＭＣＣＨ：ＭＢＭＳ  control  channel）及びＭＢＭＳトラフィックチャネル（ＭＴＣＨ：ＭＢＭＳ  traffic  channel）は、これらのサブフレームにおいて共に多重化される。ＭＣＣＨは、周期的に変更されることができ、ＭＣＣＨ変更期間として知られている。ＭＣＣＨの来たる変更をＵＥに通知するための効率的なメカニズムを提供するために、ＭＣＣＨ変更通知は、ＭＣＣＨの変更に先立って変更期間において送信される。従って、ＵＥは、ＭＣＣＨ情報がＭＣＣＨ変更期間境界から変更されてしまっているであろうことを前もって判定することが可能である。
【０００７】
ＭＣＣＨ変更通知は、ＭＢＭＳサブフレーム中に位置する物理ダウンリンク制御チャネル（ＰＤＣＣＨ：physical  downlink  control  channel）送信に含まれる。ＰＤＣＣＨは、ＰＤＣＣＨ送信空間の共通探索空間に位置する。８ビットのダウンリンク制御情報（ＤＣＩ：downlink  control  information）フォーマット１Ｃが最初にパディングされ、次いで、巡回冗長検査（ＣＲＣ：cyclic  redundancy  check）がＰＤＣＣＨに畳み込み符号化され及びマッピングされる前に追加される。このＤＣＩをＰＤＣＣＨ共通探索空間にマッピングされる他のＤＣＩと区別するために、ＣＲＣは、一意のＭＢＭＳ無線ネットワーク一時識別子（Ｍ−ＲＮＴＩ：MBMS  radio  network  temporary  identifier）によってスクランブルされる。
【０００８】
キャリアアグリゲーション（ＣＡ）は、３ＧＰＰＴＭ標準のリリース１０において導入された。ＣＡは、２つ以上のコンポーネントキャリア（ＣＣ）のアグリゲーションを合計５つのＣＣまでサポートし、これは、幾つかのＵＥが利用するための、例えば最大で１００ＭＨｚまでのより広い送信帯域幅を有利に適用する。ＣＡは、ＵＥのケイパビリティに応じて、ＵＥが１つ又は複数のコンポーネントキャリアを同時に受信することを可能にする。複数のコンポーネントキャリアのアグリゲーションが可能であるＵＥは、クロスキャリアスケジューリングされるように構成されることができる。例えば、１つのコンポーネントキャリア上のリソースについての割り当て情報が、異なるコンポーネントキャリア上で伝送される。アップリンク（ＵＬ）チャネル及びダウンリンク（ＤＬ）チャネルにおける場合により異なる帯域幅の異なる数のコンポーネントキャリアをアグリゲートすることも可能である。典型的なＴＤＤ配備において、ＵＬ及びＤＬにおけるコンポーネントキャリアの数及び各コンポーネントキャリアの帯域幅は、同じになるであろう。
【０００９】
しかしながら、ＵＥがクロスキャリアスケジューリングされない場合、ＵＥは、各サービングセル上のコンポーネントキャリア（ＣＣ）物理ダウンリンク制御チャネル（ＰＤＣＣＨ）を読んで、当該コンポーネントキャリア上にリソース割り当てが存在するか否かを判定するように構成される。ＵＥがクロスキャリアスケジューリングされる場合、キャリアインジケータフィールド（ＣＩＦ）は、例えば、第１のコンポーネントキャリア（ＣＣ１）を用いて第２のコンポーネントキャリア（ＣＣ２）における物理ダウンリンク共有チャネル（ＰＤＳＣＨ）リソースを割り当てて、使用のための周波数のクロスキャリアＵＬ及びＤＬ割り当てを可能にするように半静的に構成される。
【００１０】
アグリゲーテッドキャリアモードにおいて動作している場合、各ＵＥは、１つ以上のサービングセルに属して構成される。これらのサービングセルのうち、１つはプライマリセル（Ｐｃｅｌｌ）に指定され、他のものはセカンダリセル（Ｓｃｅｌｌｓ）に指定される。Ｐｃｅｌｌ指定は、ＵＥ固有であり、ある属性は、Ｐｃｅｌｌに関連付けられる。各サービングセルは、リリース８／９と後方互換性があるように設計される。
【００１１】
ただし、３ＧＰＰＴＭ標準仕様のリリース１０は、リリース９のｅＭＢＭＳにおいて用いられるような、ＤＣＩフォーマット１ＣにおけるＣＩＦをサポートしない。さらに、ｅＭＢＭＳは、３ＧＰＰＴＭ標準のリリース１０の一部として議論されてきていない。それ故に、特に、ｅＭＢＭＳコンテンツを望むＵＥがキャリアアグリゲーション可能である場合において、ｅＭＢＭＳシグナリングのクロスキャリアスケジューリングをサポートする解決策は存在しない。また、３ＧＰＰＴＭ標準のリリース１０内で、ＵＥはセカンダリセル（Ｓｃｅｌｌ）上の共通探索空間をデコードすることが期待されていない。そのため、幾つかある要因のうちで特に、ＬＴＥ仕様は、プライマリキャリア／セル（Ｐｃｅｌｌ）以外のキャリア上でＭＢＭＳ制御チャネル変更通知を提供することについて（リリース９について定義されるように）言及していない。
【発明の概要】
【発明が解決しようとする課題】
【００１２】
結果として、現在の技法は次善である。特に、ＵＥがプライマリセル（Ｐｃｅｌｌ）上で動作しており、少なくとも１つのセカンダリセル（Ｓｃｅｌｌ）に属して構成される状況について、ＬＴＥ  ＣＡのためのＭＣＣＨ変更通知のクロスキャリア標識を提供するための現在の技法は無い。そのため、そのような解決策の提供は、有利となるであろう。
【課題を解決するための手段】
【００１３】
本発明の種々の態様及び特徴は、特許請求の範囲において述べられる。
【００１４】
本発明の実施形態は、単独で又は任意の組み合わせにおいて、上述された不都合を軽減し、緩和し又は除去する。
【００１５】
本発明の第１の態様によれば、無線ブロードキャスト通信システムにおいて、第１のサービング通信セル上で動作しており、及び少なくとも１つの第２のサービング通信セルへアクセスするように構成されている少なくとも１つの無線通信ユニットについての制御チャネル変更通知のクロスキャリア標識をサポートするための方法が提供される。当該方法は、基地局において、ブロードキャストサービス識別子、例えば、ＭＢＭＳ無線ネットワーク一時識別子（Ｍ−ＲＮＴＩ）を含むメッセージを生成することと、当該ブロードキャストサービス識別子（例えば、Ｍ−ＲＮＴＩ）は、少なくとも１つの無線通信ユニットによってアクセス可能な少なくとも１つの第２のサービングセルの制御チャネル変更を識別することと、当該メッセージを少なくとも１つの無線通信ユニットに送信することと、を含む。
【００１６】
１つの随意的な例示的な実施形態において、少なくとも１つの第２のサービング通信セルの制御チャネル変更を識別するブロードキャストサービス識別子を含むメッセージを生成することは、各々がそれぞれの第２のサービング通信セルを識別する複数のブロードキャストサービス識別子からブロードキャストサービス識別子を選択すること、を含み得る。このようにして、少なくとも１つの無線通信ユニットは、どの少なくとも１つの第２のサービング通信セルに制御チャネル情報の変更が適用されるかを判定することが可能であり得る。
【００１７】
１つの随意的な例示的な実施形態において、少なくとも１つの第２のサービング通信セルの制御チャネル変更を識別するブロードキャストサービス識別子を含むメッセージを生成することは、ブロードキャストサービス識別子を用いて、識別するための少なくとも１つの第２のサービング通信セルを判定することと、判定された少なくとも１つの第２のサービング通信セルに基づいて第１のブロードキャストサービス識別子（例えば、第１のＭ−ＲＮＴＩ）をスクランブルし、それによって、少なくとも１つの無線通信ユニットによってアクセス可能な少なくとも１つの第２のサービング通信セルのリソース変更を識別する第２のブロードキャストサービス識別子（例えば、第２のＭ−ＲＮＴＩ）を生成することと、を含み得る。上記スクランブルすることは、第１のブロードキャストサービス識別子を予め定義されるスクランブリングシーケンスのセットを用いてスクランブルすること、を含み得る。さらに、１つの随意的な例示的な実施形態において、第２のブロードキャストサービス識別子を生成することは、第２のブロードキャストサービス識別子が既存の識別子と一致しないことを確認すること、を含み得る。このようにして、既に定義されている識別子のセットと重なら（intersect）ないブロードキャストサービス識別子のセットが定義される。
【００１８】
１つの随意的な例示的な実施形態において、ブロードキャストサービス識別子を含むメッセージを生成することは、少なくとも１つの無線通信ユニットによってアクセス可能な少なくとも１つの第２のサービング通信セルの制御チャネル変更を識別するＤＣＩフォーマット１Ｃメッセージを生成するためにブロードキャストサービス識別子を用いること、を含み得る。さらに、１つの随意的な例示的な実施形態において、ブロードキャストサービス識別子を用いてＤＣＩフォーマット１Ｃメッセージを生成することは、パディングビットが少なくとも１つの無線通信ユニットによってアクセス可能な少なくとも１つの第２のサービング通信セルの制御チャネル変更を識別するように、パディングビットの状態を変更すること、を含み得る。
【００１９】
１つの随意的な例示的な実施形態において、制御チャネル変更通知は、ＭＢＭＳ制御チャネル（ＭＣＣＨ）変更通知である。１つの随意的な例示的な実施形態において、無線ブロードキャスト通信システムは、ＬＴＥマルチキャストブロードキャストマルチメディアサービスをサポートする。
【００２０】
本発明の第２の態様によれば、実質的に上記第１の態様に係る、無線ブロードキャスト通信システムにおいて、第１のサービング通信セル上で動作しており、及び少なくとも１つの第２のセルへのアクセスを有する少なくとも１つの無線通信ユニットについての制御チャネル変更通知のクロスキャリア標識をサポートするための実行可能なプログラムコードを含む、非一時的な（non-transitory）コンピュータプログラムプロダクトが提供される。
【００２１】
本発明の第３の態様によれば、無線ブロードキャスト通信システムにおいて、第１のサービング通信セル上で動作しており、及び少なくとも１つの第２のサービング通信セルへアクセスするように構成されている少なくとも１つの無線通信ユニットについての制御チャネル変更通知のクロスキャリア標識をサポートするための基地局が提供される。当該基地局は、ブロードキャストサービス識別子（例えば、Ｍ−ＲＮＴＩ）を含むメッセージを生成するように構成される信号処理ロジックであって、ここで、当該ブロードキャストサービス識別子は、少なくとも１つの無線通信ユニットによってアクセス可能な少なくとも１つの第２のサービング通信セルの制御チャネル変更を識別する、信号処理ロジックと、当該メッセージを少なくとも１つの無線通信ユニットに送信するための送信機と、を備える。
【００２２】
本発明の第４の態様によれば、実質的に上記第３の態様に係る、信号処理ロジックを備える基地局のための集積回路が提供される。
【００２３】
本発明の第５の態様によれば、無線ブロードキャスト通信システムにおいて、第１のサービング通信セル上で動作しており、及び少なくとも１つの第２のサービング通信セルへのアクセスを有する無線通信ユニットについての制御チャネル変更通知のクロスキャリア標識をサポートするための方法が提供される。当該方法は、無線通信ユニットにおいて、第１のサービング通信セル上でメッセージを受信することと、ブロードキャストサービス識別子（例えば、Ｍ−ＲＮＴＩ）を判定するために当該メッセージをデコードすることと、当該ブロードキャストサービス識別子は、少なくとも１つの無線通信ユニットによってアクセス可能な少なくとも１つの第２のサービング通信セルの制御チャネル変更を識別することと、デコードされたメッセージに応じて少なくとも１つの第２のサービング通信セルに切り換える（transferring）ことと、を含む。
【００２４】
１つの随意的な例示的な実施形態において、少なくとも１つの第２のサービング通信セルの制御チャネル変更を識別するブロードキャストサービス識別子を含むメッセージをデコードすることは、判定されるべき少なくとも１つの第２のサービング通信セルに基づいて第１のブロードキャストサービス識別子をデスクランブルし、それによって、少なくとも１つの第２のサービング通信セルの制御チャネル変更を識別する第２のブロードキャストサービス識別子を生成すること、を含み得る。
【００２５】
１つの随意的な例示的な実施形態において、判定された少なくとも１つの第２のサービング通信セルに基づいて第１のブロードキャストサービス識別子（例えば、第１のＭ−ＲＮＴＩ）をデスクランブルすることは、複数の第２のサービング通信セルの識別を区別するための予め定義されるスクランブリングシーケンスのセットを用いて第１のブロードキャストサービス識別子（例えば、第１のＭ−ＲＮＴＩ）をデスクランブルすること、を含み得る。
【００２６】
本発明の第６の態様によれば、実質的に上記第５の態様に係る、無線ブロードキャスト通信システムにおいて、第１のサービング通信セル上で動作しており、及び少なくとも１つの第２のサービング通信セルへのアクセスを有する無線通信ユニットについての制御チャネル変更通知のクロスキャリア標識をサポートするための実行可能なプログラムコードを含む、非一時的なコンピュータプログラムプロダクトが提供される。
【００２７】
本発明の第７の態様によれば、無線ブロードキャスト通信システムにおいて、第１のサービング通信セル上で動作しており、及び少なくとも１つの第２のサービング通信セルへアクセスするように構成されている無線通信ユニットについての制御チャネル変更通知のクロスキャリア標識をサポートするための無線通信ユニットが提供される。無線通信ユニットは、第１のサービング通信セル上でメッセージを受信し、ブロードキャストサービス識別子（例えば、Ｍ−ＲＮＴＩ）を判定するために当該メッセージをデコードし、ここで、当該ブロードキャストサービス識別子（例えば、Ｍ−ＲＮＴＩ）は、少なくとも１つの無線通信ユニットによってアクセス可能な少なくとも１つの第２のサービング通信セルの制御チャネル変更を識別し、及びデコードされたメッセージに応じて前記少なくとも１つの第２のサービング通信セルに切り換えるように構成される信号処理回路を備える。
【００２８】
本発明の第８の態様によれば、実質的に上記第７の態様に係る、信号処理ロジックを備える無線通信ユニットのための集積回路が提供される。
【００２９】
本発明の第９の態様によれば、上記第３の態様に係る基地局と、上記第７の態様に係る無線通信ユニットと、を備えるブロードキャスト無線通信システムが提供される。
【００３０】
本発明のこれらの及び他の態様、特徴、並びに利点は、以下に説明される実施形態から明白となり、当該実施形態を参照しつつ明瞭となるであろう。
【図面の簡単な説明】
【００３１】
本発明の実施形態は、添付の図面を参照しつつ、ほんの一例として説明されるであろう。当該図面において：
【００３２】
【図１】本発明の幾つかの例示的な実施形態に係る、３ＧＰＰＴＭ  ＬＴＥセルラ通信システムを示す。
【図２】本発明の幾つかの例示的な実施形態により適合される、ｅＮｏｄｅＢなどの無線通信ユニットの一例を示す。
【図３】本発明の幾つかの例示的な実施形態に係る、ブロードキャスト通信のためのクロスキャリアスケジューリングをサポートするためにｅＮｏｄｅＢにおいて採用されるフローチャートの一例を示す。
【図４】本発明の幾つかの例示的な実施形態により適合される、ユーザ機器などの無線通信ユニットの一例を示す。
【図５】本発明の幾つかの例示的な実施形態に係る、ブロードキャスト通信のためのクロスキャリアスケジューリングをサポートするためにユーザ機器において採用されるフローチャートの一例を示す。
【図６】本発明の幾つかの例示的な実施形態に係る、ブロードキャスト通信のためのクロスキャリアスケジューリングをサポートするためにユーザ機器において採用されるフローチャートのさらなる例を示す。
【図７】本発明の実施形態における信号処理機能性を実装するために採用され得る典型的なコンピューティングシステムを示す。
【発明を実施するための形態】
【００３３】
以下の説明は、ＬＴＥセルラ通信システムに、及び、特に、第３世代パートナーシッププロジェクト（３ＧＰＰＴＭ）のシステム内で任意のペアリングされた又はペアリングされていないスペクトルにおいて動作するＬＴＥ無線アクセスネットワーク（ＲＡＮ：Radio  Access  Network）に適用可能な本発明の実施形態に焦点を当てる。ただし、本発明はこの特定のセルラ通信システムに限定されず、ブロードキャスト通信をサポートする任意のセルラ通信システムに適用され得ることが認識されるであろう。以下の説明は、例えば、ｅＭＢＭＳ（evolved  Mobile  Broadcast  and  Multicast  Service）をサポートするものといった、ＬＴＥセルラ通信システム上で（例えば、一方向性の）ブロードキャストサービスを提供することに適用可能な本発明の実施形態にも焦点を当てる。ｅＭＢＭＳは、進化型パケットシステム（ＥＰＳ：Evolved  Packet  System）などのモバイル通信ネットワーク上で提供されるブロードキャスティング及びマルチキャスティングサービスである。ｅＭＢＭＳについての技術仕様は、３ＧＰＰＴＭ  ＴＳ  ３６．３００を含む。
【００３４】
本明細書において説明される例示的な実施形態は、例えば、ｅＭＢＭＳデータがＬＴＥ通信システム上で伝送されるシナリオにおいて、例えば、ＭＣＣＨ変更通知のクロスキャリア標識において充分な柔軟性を提供するために適用され得る。例において、当業者は、コンポーネントキャリア（ＣＣ）という用語が、通信チャネルのコンテキストにおいて、地理的な領域に存在するＵＥへの通信をサポートする際に、幾つかの場合においてサービングセルという用語と同義的と見なされもよく、これらの用語は、以下、互換的に用いられ得ることを認識するであろう。
【００３５】
ここで図１を参照すると、本発明の１つの例示的な実施形態に係る無線通信システム１００が、概略的に示される。この例示的な実施形態において、無線通信システム１００は、ユニバーサルモバイルテレコミュニケーションシステム（ＵＭＴＳＴＭ）のエアインタフェース上で動作することが可能なネットワークエレメントに準拠し及び当該ネットワークエレメントを含む。特に、当該実施形態は、３ＧＰＰＴＭ  ＴＳ  ３６．ｘｘｘシリーズの仕様において説明されるように、ダウンリンク（ＤＬ）においてはＯＦＤＭＡ（Orthogonal  Frequency  Division  Multiple  Access）及びアップリンク（ＵＬ）においてはＳＣ−ＦＤＭＡ（Single  Carrier  Frequency  Division  Multiple  Access）に基づく進化型ＵＭＴＳ地上波無線アクセスネットワーク（Ｅ−ＵＴＲＡＮ：Evolved-UMTS  Terrestrial  Radio  Access  Network）無線通信システムのシステムアーキテクチャに関連し、当該システムは、ＬＴＥ（long  term  evolution）についての第３世代パートナーシッププロジェクト（３ＧＰＰＴＭ）仕様において現在議論中である。ＬＴＥにおいて、時分割複信（ＴＤＤ）モード及び周波数分割複信（ＦＤＤ）モードが定義される。特に、ＬＴＥシステムの例示的な実施形態は、１つ以上の通信セルにおけるブロードキャストＥ−ＵＴＲＡＮ通信をサポートするように適合され得る。
【００３６】
無線通信システム１００のアーキテクチャは、無線アクセスネットワーク（ＲＡＮ）エレメントと、コアネットワーク（ＣＮ）エレメントと、から成り、コアネットワーク１０４は、インターネット又は企業ネットワークといった（パケットデータネットワーク（ＰＤＮ）と名付けられる）外部ネットワーク１０２に結合される。ＣＮ１０４は、ブロードキャストメディアサービスセンタ（ＢＭ−ＳＣ）１０７を備え、当該ＢＭ−ＳＣ１０７は、１つの例において、ブロードキャストコンテンツを受信するためにコンテンツプロバイダ１０９に接続される。ＣＮ１０４は、この例において、ＢＭ−ＳＣ１０７に接続され及びＳｍインタフェースを介してモビリティマネジメントエンティティ（ＭＭＥ）１０８に接続される進化型マルチキャストブロードキャストマルチメディアサーバ（ＭＢＭＳ）ゲートウェイ（ＧＷ）１０６も備える。ＭＭＥ１０８は、ＭＢＭＳベアラのセッション制御を管理し、及び加入者通信ユニット（ＵＥ）関連の情報を記憶するホーム加入者サービス（ＨＳＳ：home  subscriber  service）データベース１３０に動作可能に接続される。ＭＢＭＳゲートウェイ１０６は、モビリティアンカーポイントとして動作し、及びＭＢＭＳユーザプレーンデータのｅＮｏｄｅＢへのＩＰマルチキャスト配信を提供する。ＭＢＭＳゲートウェイ１０６は、１つ以上のコンテンツプロバイダ１０９からブロードキャストマルチキャストサービスセンタ（ＢＭ−ＳＣ）１０７を介してＭＢＭＳコンテンツを受信する。
【００３７】
制御プレーン（ＣＰ：control  plane）データについて、ＭＢＭＳ調整エンティティ（ＭＣＥ：MBMS  co-ordination  entity）１０５は、ＭＭＥ１０８とｅＮｏｄｅＢ１１０との間のＥ−ＵＴＲＡＮに存在する。ＭＣＥ１０５は、レイヤ２の構成及びブロードキャスト送信用の無線リソースの使用を管理する。従って、ＭＣＥ１０５は、ＲＡＮドメインのエレメントであり、（図示のように）別個のエンティティとすることも又はｅＮｏｄｅＢ１１０に位置することもできる。ユーザプレーン（ＵＰ：user  plane）データについて、ＢＭ−ＳＣ１０７は、Ｍ１インタフェースを介してｅＮｏｄｅＢ１１０に直接結合される。
【００３８】
示されるように、ＣＮ１０４は、２つのｅＮｏｄｅＢ１１０に動作可能に接続され、当該ｅＮｏｄｅＢ１１０のそれぞれのカバレッジゾーン又はセル１８５、１９０及び複数のＵＥ１２５は、ＣＮ１０４からｅＮｏｄｅＢ１１０を介して送信信号を受信する。本発明の例示的な実施形態によれば、少なくとも１つのｅＮｏｄｅＢ１１０及び（幾つかある他のエレメントのうちで特に）少なくとも１つのＵＥ１２５は、以下に説明されるコンセプトをサポートするように適合されている。
【００３９】
ＲＡＮの主要なコンセプトは、ｅＮｏｄｅＢ（進化型ＮｏｄｅＢ）１１０であり、当該ｅＮｏｄｅＢ１１０は、多くの標準的な基地局機能を実行し、並びにＣＮ１０４にＭ１インタフェースを介して及びＵＥ１２５にＵｕインタフェースを介して接続される。無線通信システムは、典型的に、多数のそのようなインフラストラクチャエレメントを有するであろうが、明確にするために、限られた数のみが図１に示される。ｅＮｏｄｅＢ１１０は、複数の無線加入者通信ユニット／端末（又は、ＵＭＴＳＴＭの用語におけるユーザ機器（ＵＥ）１２５）についての無線リソース関連機能を制御し及び管理する。
【００４０】
示されるように、各ｅＮｏｄｅＢ１１０は、信号プロセッサモジュール１９６と、特に、この例におけるＭＢＭＳ無線ネットワーク一時識別子（Ｍ−ＲＮＴＩ）などのブロードキャストサービス識別子に関連する情報を記憶するためのメモリ１９２と、に動作可能に結合される１つ以上の無線送受信ユニット１９４を備える。本発明の例示的な実施形態は、１つ以上の無線送受信ユニット１９４を利用し、信号プロセッサモジュール１９６は、ＵＥ１２５などの少なくとも１つの無線通信ユニットによってアクセス可能な少なくとも１つのサービングセルの（ＭＣＣＨ変更などの）制御チャネル変更を識別するために用いられるべきブロードキャストサービス識別子（例えば、Ｍ−ＲＮＴＩ）を含むメッセージを生成するように構成される。１つ以上の無線送受信ユニット１９４は、ＵＥ１２５とユニキャストチャネル１２１を介して通信し、又はブロードキャストチャネル１２２上でマルチメディアコンテンツをブロードキャストする。
【００４１】
ＵＥの各々は、信号処理ロジック１２９に動作可能に結合される送受信ユニット１２７を備える（明確にするために、１つのＵＥのみがそのように詳細に示され、このＵＥは、ブロードキャストチャネル１２２上のブロードキャストコンテンツ及びユニキャストチャネル１２１上のユニキャスト通信の双方を受信し、並びにそれぞれのロケーションエリアにおいて通信をサポートするｅＮｏｄｅＢ１１０と通信することが可能であるように示される）。システムは、多くの他のＵＥ１２５及びｅＮｏｄｅＢ１１０を備え、これらは、明確にするために図示されていない。
【００４２】
無線ネットワーク一時識別子（ＲＮＴＩ）は、１つの例において、物理ダウンリンク制御チャネル（ＰＤＣＣＨ）上で送信されるべきダウンリンク制御情報（ＤＣＩ）コードワードの各々における巡回冗長検査（ＣＲＣ）ビットをスクランブルするためにｅＮＢ物理レイヤ（ＰＨＹ）によって用いられる。ＰＨＹにおけるこのスクランブル処理は、変調の前に発生する。ＲＮＴＩは、ＭＢＭＳシステムにも知得され、Ｍ−ＲＮＴＩと呼ばれる。ＰＤＣＣＨが特定のＵＥに向けられる場合、ＵＥ固有のＲＮＴＩが上記スクランブル動作のために用いられ、ＤＣＩはＵＥ固有の探索空間内に位置する。ＰＤＣＣＨが複数のＵＥに向けられる場合、共通のＲＮＴＩがスクランブル動作のために用いられ、ＤＣＩは共通の探索空間内に位置する。Ｍ−ＲＮＴＩは、ＭＢＭＳ制御チャネル（ＭＣＣＨ）変更通知のために用いられることができる１つのそのような共通のＲＮＴＩの一例である。ＵＥにおいて、ＤＣＩフォーマットは、種々のＲＮＴＩを用いてデスクランブルされて、ＤＣＩコンテンツの性質が確認される。例えば、ＤＣＩフォーマット１Ｃがデコードされる場合、ＣＲＣをＭ−ＲＮＴＩを用いてデスクランブルした後、全てがゼロのシーケンスが取得され、従って、ＤＣＩフォーマット１Ｃは、ＭＣＣＨ変更通知を含むと見なされる。
【００４３】
最初に示される例示的な実施形態において、幾つかの付加的なブロードキャストサービス識別子（例えば、Ｍ−ＲＮＴＩ）が用いられ、以下の表１に示されるように、それぞれのｅＮｏｄｅＢ１１０によってサポートされるセカンダリセルごとに１つが用いられる。
【００４４】
【表１】
2014511600.tif 000003
【００４５】
例えば、この最初に示される例示的な実施形態において、それぞれのｅＮｏｄｅＢは、各ＵＥに、対応するＭ−ＲＮＴＩの選択を通じて、ＭＣＣＨ変更標識が適用されるＳｃｅｌｌを暗黙的にシグナリングする。１つの例において、それぞれのＭ−ＲＮＴＩと関連付けられるＳｃｅｌｌ（及びそれらをサポートするｅＮｏｄｅＢ）との間のマッピングは、ＬＴＥプロトコルスタックにおけるより上位の層によって構成され得る。
【００４６】
このように、「物理的に（physically）」異なるメカニズムが用いられて、複数のＳｃｅｌｌが識別される。有利には、表１における例示的な表に示されるように、幾つかの新たなＭ−ＲＮＴＩを導入することによって、プライマリセル（Ｐｃｅｌｌ）について用いられるＭ−ＲＮＴＩは、３ＧＰＰＴＭ標準のリリース８／９をサポートするために、Ｓｃｅｌｌが利用可能であり及び用いられる場合、本明細書において説明される例示的な実施形態をサポートするように拡張され得る。それによって、後方互換性を有利に容易にする。
【００４７】
Ｍ−ＲＮＴＩとサービングセルとの間のそのようなマッピングを容易にするために、幾つかの例において説明されるように、サービングセルは、接続されるＵＥの各々について同様に順序付けられ得る。これは、表２における例示的な表に示されるように、各ＵＥが個別のＰｃｅｌｌ又は異なる数のサービングセルを有することを排除しない。表２は、５つの例示的なＵＥ（「Ａ」から「Ｅ」）を示し、各ＵＥは、異なるＰｃｅｌｌを有する。サービングセルが追加される場合、より上位の層のシグナリングが用いられ、当該シグナリングは、後続のシグナリングにおける使用のためのセルインデックスリファレンスも割り当てる。幾つかの例のコンテキストにおいて、このより上位の層のシグナリングは、付加的なサービングセルが同様に順序付けられることを確保するように変形され得る。
【００４８】
【表２】
2014511600.tif 000004
【００４９】
第２の例示的な実施形態において、第１の例示的な実施形態に加えて又はその代替案として、単一の（Ｐｃｅｌｌの）ブロードキャストサービス識別子（例えば、Ｍ−ＲＮＴＩ）が用いられて、ＰＤＣＣＨの巡回冗長検査（ＣＲＣ）がスクランブルされる。１つの例において、ＰＤＣＣＨのＣＲＣをスクランブルすることは、ＣＲＣ及びＭ−ＲＮＴＩのそれぞれのバイナリエレメントの「排他的論理和（exclusive  or（ＸＯＲ））」演算を用いて実行され得る。第２の例示的な実施形態の１つの随意的な例において、所望のＳｃｅｌｌの標識に基づいて単一のＰｃｅｌｌのＭ−ＲＮＴＩをスクランブルするために、４つのスクランブル符号が追加される。他の適用において、他の個数のスクランブル符号が採用されてもよい。このように、少なくとも物理的な観点から、第２の例示的な実施形態におけるＭ−ＲＮＴＩのスクランブリング及び第１の例示的な実施形態における異なるＭ−ＲＮＴＩの使用は、同様の結果をもたらすと見なされ得る。
【００５０】
種々の例において、検査メカニズムは、ＣＮ１０４又はｅＮｏｄｅＢ１１０、ＭＣＥ１０５又は別個の動作及びマネジメントエンティティにおいて実行されて、Ｍ−ＲＮＴＩをスクランブルすることによって、別の有効なＲＮＴＩが生成されないこと、例えば、スクランブルされたＭ−ＲＮＴＩが既存のＲＮＴＩのセットと重ならないことが確保され得る。例えば、１つの例において、ｅＮｏｄｅＢ１１０は、第２の例示的な実施形態について採用されるスクランブル符号を認知していてもよく、従って、スクランブルされたＭ−ＲＮＴＩをセル内で任意の他の使用について割り当てないことを選択することが可能である。そのような実装において、ｅＮｏｄｅＢ１１０は、スクランブルされたＭ−ＲＮＴＩが現れるであろうＲＮＴＩ空間を実質的に予約し、及び既存のＭ−ＲＮＴＩを予め定義されるスクランブリングシーケンスを用いてスクランブルすることによって新たなＭ−ＲＮＴＩを構築する。有利には、第２の例示的な実施形態も、リリース８及び／又はリリース９のＵＥをサポートするための後方互換性を提供する。
【００５１】
前述された第１及び第２の例示的な実施形態は、最大で５つまでのＣＣ上で独立したＭＣＣＨ変更通知のシグナリングを可能にし、従って、ＵＥの動作について充分な柔軟性を提供する。他の適用において、他の個数のＣＣがサポートされてもよい。
【００５２】
第３の例示的な実施形態において、現在のＤＣＩフォーマット１Ｃへの変形は、ＭＣＣＨ変更通知についての情報を提供するために用いられ得る。ＤＣＩフォーマット１Ｃは、共通の探索空間内に含まれる。現在仕様化されているように、ＤＣＩフォーマット１Ｃは、ＵＥがクロスキャリアスケジューリング用に構成されていない場合、Ｓｃｅｌｌ上のＵＥによってのみ読まれることができる。クロスキャリアスケジューリング用に構成されるＵＥの場合、当該ＵＥについて、Ｓｃｅｌｌ上の共通の探索空間をデコードするための要件は存在しない。
【００５３】
現在のＤＣＩフォーマット１Ｃは、［ＴＳ  ３６．２１２］において定義されるように、動作のために「８」ビットを用いる。残りの情報ビットは、サイズが１つのＰＤＳＣＨコードワードの非常にコンパクトなスケジューリングについて用いられるフォーマット１Ｃのサイズと等しくなるまでパディングされる。表２は、様々なチャネル帯域幅についてのＤＣＩフォーマット１Ｃの長さを提供する。
【００５４】
【表３】
2014511600.tif 000005
【００５５】
第３の例示的な実施形態において、チャネル帯域幅が３ＭＨｚ以上の場合について、パディングビットは、表３に示されるように、８ビットのＭＣＣＨ変更通知の直後に挿入される。特に、これらのパディングビットは、どのサービングセルにＭＣＣＨ変更通知が提供されるかを示すために用いられることができる。最大で５つまでのコンポーネントキャリア（ＣＣ）を示すために、３つのビットが必要とされる。キャリア標識と同様に、より上位の層のシグナリングは、ビットからＣＣへのマッピングを提供することができる。１．４ＭＨｚ及び３ＭＨｚは５つのＣＣ全てをシグナリングするための充分なパディングビットを有しないが、これらのキャリアの既に限られた制御チャネルリソースに起因して、これらのキャリアのどちらかがクロスキャリアスケジューリング用に構成されるであろう可能性は低いため、そのような限定は実際には最小限となる可能性が高い。それ故に、８ビットのＭＣＣＨ変更通知は、どのＣＣにＭＣＣＨ変更通知が適用されるかをＵＥに示すために、パディングビット上のＣＣ標識との組み合わせにおいて用いられる。この第３の例示的な実施形態は、図６に関してより詳細に説明される。
【００５６】
第４の例示的な実施形態において、新たな付加的なブロードキャストサービス識別子（例えば、Ｍ−ＲＮＴＩＸ）は、８ビットのＭＣＣＨ変更通知がＳｃｅｌｌに関連し、従って、リリース８／９との後方互換性をサポートする場合、ＭＣＣＨ変更通知についての情報を提供するためにＤＣＩフォーマット１Ｃについて用いられる。新たなＭ−ＲＮＴＩＸは、８ビットのＭＣＣＨ変更標識がＰｃｅｌｌに関連する場合、ＤＣＩフォーマット１Ｃについて用いられる既存のＭ−ＲＮＴＩに加えて導入される。それ故に、新たな付加的なＭ−ＲＮＴＩＸが用いられる場合、ＭＣＣＨ変更通知がどのＳｃｅｌｌ（例えば、より上位の層によって構成される）に関連するかを示すために、（第３の例示的な実施形態について）２つのパディングビットのみが用いられる。他の適用において、他の個数のパディングビットが用いられてもよい。
【００５７】
代替的に又は付加的に、第５の例示的な実施形態において、ｅＭＢＭＳの機能性をサポートするために、新たなＤＣＩフォーマットが導入されて、第２のキャリア上でＭＣＣＨ変更通知についての情報が提供され得る。この例において、ＵＥは、第２のキャリア上のＭＣＣＨ変更通知を示す新たなＤＣＩフォーマットをデコードすることを試みるように構成され得る。そのような新たなＤＣＩフォーマットは、共通の探索空間に含まれ、及び先行する例に従ってＭＣＣＨ変更通知が適用されるサービングセルに標識を提供し得る。新たなＤＣＩフォーマットは、随意的に、そのＣＲＣを既存の一意のブロードキャストサービス識別子（例えば、Ｍ−ＲＮＴＩ）を用いてスクランブルさせても、又は、他の例に従って新たな付加的なブロードキャストサービス識別子（例えば、Ｍ−ＲＮＴＩ）を採用してもよい。
【００５８】
ここで図２を参照すると、本発明の幾つかの例示的な実施形態に従って適合される無線通信ユニットのブロック図が示される。実際には、本発明の実施形態を単に説明する目的のため、無線通信ユニットは、ｅＮｏｄｅＢ１１０に関して説明される。無線通信ユニット１１０は、当該無線通信ユニット１１０内の受信チェーンと送信チェーンとの間に分離を提供するアンテナスイッチ２０４に結合される１つのアンテナ、アンテナアレイ２０２、又は複数のアンテナを含む。１つ以上の受信機チェーンは、本技術分野において既知であるように、（受信、フィルタリング、及び中間周波数変換又はベースバンド周波数変換を実質的に提供する）受信機フロントエンド回路２０６を備える。受信機フロントエンド回路２０６は、（一般に、デジタル信号プロセッサ（ＤＳＰ：digital  signal  processor）によって実現される）信号処理モジュール２０８に結合される。１つ以上の受信機チェーンは、１つ以上のＵＥからユニキャスト通信を受信するように動作可能に構成される。当業者は、用いる受信機回路又はコンポーネントの集積レベルが幾つかの場合において実装依存であり得ることを認識するであろう。
【００５９】
受信機チェーンは、受信信号品質インジケータロジック又は回路２１２を備え、当該ロジック又は回路２１２は、無線通信ユニット１１０の全体的な制御を維持するコントローラ２１４に結合される。コントローラ２１４は、無線通信ユニット１１０の全体的な動作制御を維持する。コントローラ２１４は、受信機フロントエンド回路２０６及び信号処理モジュール２０８にも結合される。幾つかの例において、コントローラ２１４は、デコーディング／エンコーディング機能、同期パターン、符号シーケンスなどといった動作体制（regimes）を選択的に記憶するメモリデバイス２１６及びバッファモジュール２１７にも結合される。タイマ２１８は、無線通信ユニット１１０内の動作（時間依存の信号の送信又は受信）のタイミングを制御するためにコントローラ２１４に動作可能に結合される。
【００６０】
送信チェーンに関して、当該送信チェーンは、送信機／変調回路２２２及び電力増幅器２２４を介して１つのアンテナ、アンテナアレイ２０２、又は複数のアンテナに直列に結合されるｅＭＢＭＳ入力モジュール２２０を本質的に備える。送信機／変調回路２２２及び電力増幅器２２４は、コントローラ２１４に動作上応答し、及び受信されるｅＭＢＭＳデータパケットストリームを無線通信ユニット１１０のカバレッジレンジ内の複数のＵＥにブロードキャストするように動作可能に構成される。
【００６１】
送信チェーンにおける信号プロセッサモジュール２０８は、受信チェーンにおける信号プロセッサとは別個のものとして実装され得る。代替的に、図２に示されるように、送信信号及び受信信号の双方の処理を実装するために単一のプロセッサが用いられてもよい。明らかに、無線通信ユニット１１０内の種々のコンポーネントは、別個の又は集積されたコンポーネント形態において実現されることができ、それ故に、最終的な構造は、特定用途向け又は設計の選択である。
【００６２】
第１の例において、無線通信ユニット（ｅＮｏｄｅＢ）１１０の信号プロセッサモジュール２０８は、ＭＢＭＳ制御チャネル（ＭＣＣＨ）変更通知が必要とされることが通知される。例えば、無線通信ユニット（ｅＮｏｄｅＢ）１１０の信号プロセッサモジュール２０８は、どのサービングセルに当該変更通知が適用されるかについて通知され、（幾つかのブロードキャストサービス識別子（例えば、幾つかのＭ−ＲＮＴＩ）から）対応するブロードキャストサービス識別子（例えば、Ｍ−ＲＮＴＩ）を、ＭＣＣＨ変更通知が提供される特定のサービングセルに関連付けられるものとして選択することができる。
【００６３】
付加的に又は代替的に、第２の例において、無線通信ユニット（ｅＮｏｄｅＢ）１１０の信号プロセッサモジュール２０８は、どのサービングセルに変更通知が適用されるかを通知され、ＰＤＣＣＨ変更通知メッセージの巡回冗長検査（ＣＲＣ）を適当なブロードキャストサービス識別子（例えば、Ｍ−ＲＮＴＩ）を用いてスクランブルする。
【００６４】
付加的に又は代替的に、第３の例において、無線通信ユニット（ｅＮｏｄｅＢ）１１０の信号プロセッサモジュール２０８は、どのサービングセルに変更通知が適用されるかを通知されてもよく、例えば表３に示されるように、パディングビットについての適当なビットパターンを、例えばより上位の層のシグナリングに従って、ＭＣＣＨ変更標識が適用される特定のサービングセルに関連づけられるものとして設定する。
【００６５】
付加的に又は代替的に、第４の例において、無線通信ユニット（ｅＮｏｄｅＢ）１１０の信号プロセッサモジュール２０８は、どのサービングセルに変更通知が適用されるかを通知されてもよく、また、当該変更通知がセカンダリセル（Ｓｃｅｌｌ）に適用される場合、新たな付加的なブロードキャストサービス識別子（例えば、Ｍ−ＲＮＴＩＸ）が用いられてＣＲＣがスクランブルされ得る。パディングビットについてのビットパターンは、例えば、より上位の層のシグナリングに従って、ＭＣＣＨ変更通知が適用される特定のサービングセルに関連付けられるものとして設定され得る。
【００６６】
付加的に又は代替的に、第５の例において、無線通信ユニット（ｅＮｏｄｅＢ）１１０の信号プロセッサモジュール２０８は、どのサービングセルに変更通知が適用されるかを通知されてもよく、また、当該変更通知がセカンダリセル（Ｓｃｅｌｌ）に適用される場合、新たなＤＣＩフォーマットが用いられて、ＭＣＣＨ変更通知及び当該変更通知が適用される特定のＳｃｅｌｌが示され得る。
【００６７】
有利には、前述された例は、より早期の３ＧＰＰＴＭリリースに後方互換性を提供する。
【００６８】
ここで図３を参照すると、第１及び第２の例示的な実施形態に係る、ｅＮｏｄｅＢの動作をサポートするためのフローチャート３００の一例が示される。ｅＮｏｄｅＢの動作は、３０５において開始し、及び３１０に移る。３１０において、ｅＮｏｄｅＢは、ＭＢＭＳ制御チャネル（ＭＣＣＨ）の変更が必要とされることを通知される。ｅＮｏｄｅＢは、３１５に示されるように、どのサービングセルに変更通知が適用されるかを定める（establishes）。付加的に又は代替的に、第１の例に従って、ｅＮｏｄｅＢは、３２０に示されるように、ＰＤＣＣＨ変更通知メッセージの巡回冗長検査（ＣＲＣ）を適当なブロードキャストサービス識別子（例えば、Ｍ−ＲＮＴＩ）を用いてスクランブルし得る。ＰＤＣＣＨは、３２５に示されるように、ｅＮｏｄｅＢから複数のＵＥへ送信される。
【００６９】
ここで図４を参照すると、本発明の幾つかの例示的な実施形態に従って適合される無線通信ユニットのブロック図が示される。実際には、本発明の実施形態を単に説明する目的のため、無線通信ユニットは、ＵＥ１２５などの無線加入者通信ユニットに関して説明される。無線通信ユニット１２５は、当該無線通信ユニット１２５内の受信チェーンと送信チェーンとの間に分離を提供するアンテナスイッチ４０４に結合される１つのアンテナ、アンテナアレイ４０２、又は複数のアンテナを備える。１つ以上の受信チェーンは、本技術分野において既知であるように、（受信、フィルタリング、及び中間周波数変換又はベースバンド周波数変換を実質的に提供する）受信機フロントエンド回路４０６を備える。受信機フロントエンド回路４０６は、（一般に、デジタル信号プロセッサ（ＤＳＰ）によって実現される）信号処理モジュール４０８に結合される。１つ以上の受信機チェーンは、ｅＭＢＭＳネットワーク上で１つ以上のサブフレームにおいてブロードキャストデータパケットストリームを受信するように動作可能に構成される。当業者は、用いる受信機回路又はコンポーネントの集積レベルが幾つかの場合において実装依存であり得ることを認識するであろう。
【００７０】
受信機チェーンは、受信信号品質インジケータロジック又は回路４１２を含み、当該ロジック又は回路４１２は、全体的な加入者ユニットの制御を維持するコントローラ４１４に結合される。コントローラ４１４又は信号処理モジュール４０８は、復元される（recovered）ブロードキャストコンテンツ情報から、例えば、ビットエラーレート（ＢＥＲ）データ、フレームエラーレート（ＦＥＲ）データ、又はブロックエラーレート（ＢＬＥＲ）データの形式において信号品質情報を受信し得る。コントローラ４１４は、無線通信ユニット１２５の全体的な動作制御を維持する。コントローラ４１４は、受信機フロントエンド回路４０６及び信号処理モジュール４０８にも結合される。幾つかの例において、コントローラ４１４は、デコーディング／エンコーディング機能、同期パターン、符号シーケンスなどといった動作体制を選択的に記憶するメモリデバイス及びバッファモジュール１７にも結合される。タイマ４１８は、無線通信ユニット１２５内の動作（時間依存の信号の送信又は受信）のタイミングを制御するためにコントローラ４１４に動作可能に結合される。
【００７１】
送信チェーンに関して、当該送信チェーンは、送信機／変調回路４２２及び電力増幅器４２４を介して１つのアンテナ、アンテナアレイ４０２、又は複数のアンテナに直列に結合されるｅＭＢＭＳ入力モジュール４２０を本質的に含む。送信機／変調回路４２２及び電力増幅器４２４は、コントローラ４１４に動作上応答し、受信されるｅＭＢＭＳデータパケットストリームを、サポートするｅＮｏｄｅＢ１１０のカバレッジレンジ内の複数のＵＥにブロードキャストするように動作可能に構成される。
【００７２】
送信チェーンにおける信号プロセッサモジュール４０８は、受信チェーンにおける信号プロセッサとは別個のものとして実装され得る。代替的に、図４に示されるように、単一のプロセッサが、送信信号及び受信信号の双方の処理を実装するために用いられてもよい。明らかに、無線通信ユニット４２４内の種々のコンポーネントは、別個の又は集積されたコンポーネント形態において実現されることができ、それ故に、最終的な構造は、特定用途向け又は設計の選択である。
【００７３】
第１の例において、無線通信ユニット（ＵＥ）１２５の信号プロセッサモジュール４０８は、ＭＢＭＳ制御チャネル（ＭＣＣＨ）の変更が実装されたことを判定し、及び（幾つかのブロードキャストサービス識別子（例えば、複数のＭ−ＲＮＴＩ）からの）対応するブロードキャストサービス識別子（例えば、Ｍ−ＲＮＴＩ）の選択を特定のサービングセルに関連付けられるものとして解釈することによって、どのサービングセルに変更通知が適用されるかを定める。
【００７４】
付加的に又は代替的に、第２の例において、無線通信ユニット（ＵＥ）１２５の信号プロセッサモジュール４０８は、ＰＤＣＣＨに含まれるＭＣＣＨ変更通知メッセージの巡回冗長検査（ＣＲＣ）を適当なブロードキャストサービス識別子（例えば、Ｍ−ＲＮＴＩ）を用いてアンスクランブルすることによって、どのサービングセルに変更通知が適用されるかを定める。
【００７５】
付加的に又は代替的に、第３の例において、無線通信ユニット（ＵＥ）１２５の信号プロセッサモジュール４０８は、ブロードキャストサービス識別子（例えば、Ｍ−ＲＮＴＩ）を用いてスクランブルされたＣＲＣを用いてＤＣＩフォーマット１Ｃのパディングビットのビットパターンを解釈することによって、変更通知が適用されるサービングセルを定める。
【００７６】
付加的に又は代替的に、第４又は第５の例において、無線通信ユニット（ＵＥ）１２５の信号プロセッサモジュール４０８は、新たな付加的なブロードキャストサービス識別子（例えば、Ｍ−ＲＮＴＩＸ）が用いられていると判定することによって、又はＭＣＣＨ変更通知を示す新たなＤＣＩフォーマットが用いられていると判定することによって、どのサービングセルに変更通知が適用されるかを定める。
【００７７】
ここで図５を参照すると、第１及び第２の例示的な実施形態に係る、ＵＥの動作をサポートするためのフローチャート５００の第１の例が示される。ＵＥの動作は、ステップ５０５において開始し、ステップ５１０に移る。ステップ５１０において、ＵＥは、物理ダウンリンク制御チャネル（ＰＤＣＣＨ）データをコンポーネントキャリア（ＣＣ）上で受信する。ＵＥは、ステップ５１５において示されるように、共通の探索空間におけるダウンリンク制御情報のブラインドデコーディングを実行する。ＵＥのブラインドデコーディングは、データペイロード５２５及びアンスクランブルされることができるＣＲＣ値５３０を含む受信データパケット５２０を生成する。ＵＥは、ステップ５３５において示されるように、ＰＤＣＣＨデータの巡回冗長検査（ＣＲＣ）を、ブロードキャストサービス識別子（例えば、Ｍ−ＲＮＴＩ）を用いてアンスクランブルする。ＵＥは、ステップ５４０において示されるように、第１の例示的な実施形態に従って、アンスクランブルされたＣＲＣが全てゼロであるか（否か）を判定する。ステップ５４０において、ＣＲＣにパスしないとＵＥが判定する場合、ブロードキャストサービス識別子（例えば、Ｍ−ＲＮＴＩ）の値は、ステップ５４５において、インクリメントされるか又は別のブロードキャストサービス識別子（例えば、Ｍ−ＲＮＴＩ）に更新され、処理は、新たなブロードキャストサービス識別子（例えば、Ｍ−ＲＮＴＩ）を用いるステップ５３５にループする。ステップ５４０において、ＣＲＣにパスするとＵＥが判定する場合、ＵＥは、ステップ５５０において示されるように、Ｍ−ＲＮＴＩに関連付けられるサービングセルにＰＤＣＣＨメッセージが適用されることを暗黙的にシグナリングされる。
【００７８】
ここで図６を参照すると、第３の例示的な実施形態に係る、ＵＥの動作をサポートするためのフローチャート６００の一例が示される。ＵＥの動作は、ステップ６０５において開始し、ステップ６１０に移る。ステップ６１０において、ＵＥは、ＰＤＣＣＨデータをコンポーネントキャリア上で受信する。ＵＥは、ステップ６１５において示されるように、共通の探索空間におけるダウンリンク制御情報のブラインドデコーディングを実行する。ＵＥによるブラインドデコーディングは、データペイロード６２５及びアンスクランブルされることができるＣＲＣ値６３０を含む受信データパケット６２０を生成する。ＵＥは、ステップ６３５において示されるように、ＰＤＣＣＨデータの巡回冗長検査（ＣＲＣ）を、ブロードキャストサービス識別子（例えば、Ｍ−ＲＮＴＩ）を用いてアンスクランブルする。ＵＥは、ステップ６４０に示されるように、ＣＲＣが全てゼロであるか（否か）を判定する。ＣＲＣにパスしないとＵＥが判定する場合、結果として何の動作も行われない。ステップ６４０において、ＣＲＣにパスするとＵＥが判定する場合、ＵＥは、表３に従ってペイロードからパディングビットを抽出し、より上位の層によってシグナリングされるマッピングを用いることにより、ステップ６５０において示されるように、どのコンポーネントキャリアにメッセージが適用されるかを判定することが可能である。
【００７９】
ここで図７を参照すると、本発明の実施形態における信号処理機能性を実装するために採用され得る典型的なコンピューティングシステム７００が示される。このタイプのコンピューティングシステムは、アクセスポイント及び無線通信ユニットにおいて用いられ得る。関連する技術分野における当業者は、他のコンピュータシステム又はアーキテクチャを用いて本発明をどのように実装するかも認識するであろう。コンピューティングシステム７００は、例えば、デスクトップ、ラップトップ若しくはノートブックコンピュータ、ハンドヘルドコンピューティングデバイス（ＰＤＡ、携帯電話、パームトップ等）、メインフレーム、サーバ、クライアント、又は所与のアプリケーション若しくは環境について望ましいか又は適当であり得るような任意の他のタイプの専用コンピューティングデバイス若しくは汎用コンピューティングデバイスを表し得る。コンピューティングシステム７００は、プロセッサ７０４などの１つ以上のプロセッサを備えることができる。プロセッサ７０４は、例えば、マイクロプロセッサ、マイクロコントローラ又は他の処理ロジックといった汎用処理エンジン又は専用処理エンジンを用いて実装されることができる。この例において、プロセッサ７０４は、バス７０２又は他の通信媒体に接続される。
【００８０】
コンピューティングシステム７００は、プロセッサ７０４によって実行されるべき命令及び情報を記憶するための、ランダムアクセスメモリ（ＲＡＭ）又は他のダイナミックメモリといったメインメモリ７０８も備えることができる。メインメモリ７０８は、プロセッサ７０４によって実行されるべき命令の実行期間中に一時的な変数又は他の中間情報を記憶するためにも用いられ得る。コンピューティングシステム７００は、同様に、プロセッサ７０４のための静的情報及び命令を記憶するための、バス７０２に結合される読み出し専用メモリ（ＲＯＭ：read  only  memory）又は他の静的ストレージデバイスを備え得る。
【００８１】
コンピューティングシステム７００は、情報ストレージシステム７１０も備え得る。当該情報ストレージシステム７１０は、例えば、メディアドライブ７１２と、リムーバブルストレージインタフェース７２０と、を備え得る。メディアドライブ７１２は、ハードディスクドライブ、フロッピーディスクドライブ、磁気テープドライブ、光ディスクドライブ、コンパクトディスク（ＣＤ）若しくはデジタルビデオドライブ（ＤＶＤ）読み出し／書き込みドライブ（Ｒ又はＲＷ）、又は他のリムーバブルメディアドライブ若しくは固定メディアドライブといった、固定された記憶媒体又はリムーバブル記憶媒体をサポートするためのドライブ又は他のメカニズムを含み得る。記憶媒体７１８は、例えば、ハードディスク、フロッピーディスク、磁気テープ、光学ディスク、ＣＤ若しくはＤＶＤ、又はメディアドライブ７１２によって読み出され及び書き込まれる他の固定されたメディア若しくはリムーバブルメディアを含み得る。これらの例が示すように、記憶媒体７１８は、特定のコンピュータソフトウェア又はデータが記憶されたコンピュータ読取可能な記憶媒体を含み得る。
【００８２】
代替的な実施形態において、情報記憶システム７１０は、コンピュータプログラム又は他の命令又はデータがコンピューティングシステム７００にロードされることを可能にするための他の同様のコンポーネントを含み得る。そのようなコンポーネントは、例えば、プログラムカートリッジ及びカートリッジインタフェース、リムーバブルメモリ（例えば、フラッシュメモリ又は他のリムーバブルメモリモジュール）及びメモリスロット、及びソフトウェア及びデータがリムーバブル記憶ユニット７１８からコンピューティングシステム７００に転送されることを可能にする他のリムーバブル記憶ユニット７２２及びインタフェース７２０といった、リムーバブル記憶ユニット７２２及びインタフェース７２０を含み得る。
【００８３】
コンピューティングシステム７００は、通信インタフェース７２４も備えることができる。通信インタフェース７２４は、ソフトウェア及びデータがコンピューティングシステム７００と外部デバイスとの間で転送されることを可能にするために用いられることができる。通信インタフェース７２４の例は、モデム、（イーサネット又は他のＮＩＣカードといった）ネットワークインタフェース、（例えば、ユニバーサルシリアルバス（ＵＳＢ）ポートなどの）通信ポート、ＰＣＭＣＩＡスロット及びカード等を含むことができる。通信インタフェース７２４を介して転送されるソフトウェア及びデータは、信号の形式であり、当該信号は、電気信号、電磁信号、及び光学信号、又は通信インタフェース７２４によって受信されることが可能な他の信号とすることができる。これらの信号は、チャネル７２８を介して通信インタフェース７２４に提供される。このチャネル７２８は、信号を搬送し、及び無線媒体、ワイヤ若しくはケーブル、光ファイバ、又は他の通信媒体を用いて実装され得る。チャネルの幾つかの例は、電話線、携帯電話リンク、ＲＦリンク、ネットワークインタフェース、ローカルエリアネットワーク若しくは広域ネットワーク、及び他の通信チャネルを含む。
【００８４】
この文書において、「コンピュータプログラムプロダクト」、「コンピュータ読取可能な媒体」などの用語は、例えば、メモリ７０８、記憶デバイス７１８、又は記憶ユニット７２２といった媒体を指すために一般に用いられ得る。これらの及び他の形式のコンピュータ読取可能な媒体は、プロセッサ７０４による使用のための１つ以上の命令を記憶して、当該プロセッサに特定の動作を実行させ得る。一般に、（コンピュータプログラム又は他のグルーピングの形式でグループ化され得る）「コンピュータプログラムコード」と呼ばれるそのような命令は、実行される場合、コンピューティングシステム７００が本発明の実施形態の機能を実行することを可能にする。なお、当該コードは、特定の動作をプロセッサに直接実行させても、そうするようにコンパイルされても、並びに／又はそうするように他のソフトウェア要素、ハードウェア要素、及び／若しくはファームウェア要素（例えば、標準的な機能を実行するためのライブラリ）と組み合わされてもよい。
【００８５】
ソフトウェアを用いて要素が実装される実施形態において、当該ソフトウェアは、コンピュータ読取可能な媒体に記憶され、及び、例えば、リムーバブル記憶ドライブ７２２、ドライブ７１２又は通信インタフェース７２４を用いてコンピューティングシステム７００にロードされ得る。制御ロジック（この例において、ソフトウェア命令又はコンピュータプログラムコード）は、プロセッサ７０４によって実行される場合、当該プロセッサ７０４に本明細書において説明されるような本発明の機能を実行させる。
【００８６】
１つの例において、有形の非一時的なコンピュータプログラムプロダクトは、無線ブロードキャスト通信システムにおいて、第１のサービング通信セル上で動作しており、及び少なくとも１つの第２のセルへアクセスするように構成されている少なくとも１つの無線通信ユニットについての制御チャネル変更通知のクロスキャリア標識をサポートするための実行可能なプログラムコードを含む。当該実行可能なプログラムコードは、基地局１１０において実行される場合、ブロードキャストサービス識別子（例えば、Ｍ−ＲＮＴＩ）を含むメッセージを生成し、及び当該メッセージを少なくとも１つの無線通信ユニットに送信するために動作可能であり、当該ブロードキャストサービス識別子は、当該少なくとも１つの無線通信ユニットによってアクセス可能な少なくとも１つの第２のサービング通信セルの制御チャネルの変更を識別する。
【００８７】
１つの例において、有形な非一時的なコンピュータプログラムプロダクトは、無線ブロードキャスト通信システムにおいて、第１の通信サービングセル上で動作しており、及び少なくとも１つの第２のサービング通信セルへのアクセスを有する無線通信ユニット１２５についての制御チャネル変更通知のクロスキャリア標識をサポートするための実行可能なプログラムコードを含む。当該実行可能なプログラムコードは、無線通信ユニット１２５において実行される場合、第１のサービング通信セル上でメッセージを受信し、ブロードキャストサービス識別子（例えば、Ｍ−ＲＮＴＩ）を復元するために当該メッセージをデコードし、デコードされたメッセージに応じて少なくとも１つの第２のサービング通信セルに切り換えるために動作可能であり、当該ブロードキャストサービス識別子は、少なくとも１つの無線通信ユニットによってアクセス可能な当該少なくとも１つの第２のサービング通信セルの制御チャネル変更を識別する。
【００８８】
上記の説明は、明らかにするために、様々な機能ユニット及びプロセッサを参照しつつ本発明の実施形態を説明していることが認識されるであろう。ただし、例えば、ブロードキャストモードロジック又はマネジメントロジックに関する、様々な機能ユニット又はプロセッサ間における任意の適切な分配が本発明を損なうことなく用いられ得ることは明らかであろう。例えば、別個のプロセッサ又はコントローラによって実行されるように示される機能性は、同じプロセッサ又はコントローラによって実行されてもよい。それ故に、特定の機能ユニットへの言及は、厳格な論理的又は物理的な構造又は機構を示すものではなく、説明される機能性を提供するための適切な手段への言及としてのみ見なされるべきである。
【００８９】
本発明の態様は、ハードウェア、ソフトウェア、ファームウェア、又はこれらの任意の組み合わせを含む任意の適切な形式において実装され得る。本発明は、少なくとも部分的に、１つ以上のデータプロセッサ及び／又はデジタル信号プロセッサ上で実行されるコンピュータソフトウェアとして随意的に実装され得る。従って、本発明のある実施形態の要素及びコンポーネントは、任意の適切な手法で物理的、機能的及び論理的に実装され得る。実際、機能性は、単一のユニットにおいて、複数のユニットにおいて、又は他の機能ユニットの一部として実装され得る。
【００９０】
当業者は、本明細書において説明される機能ブロック及び／又はロジックエレメントが通信ユニットのうちの１つ以上への組み込みのための集積回路において実装され得ることを認識するであろう。さらに、論理ブロック間の境界は例示に過ぎないこと、及び、代替的な実施形態は論理ブロック若しくは回路要素を統合し、又は種々の論理ブロック若しくは回路要素に代替的な機能の構成（composition）を課し得ることが意図される。本明細書において示されるアーキテクチャは例示に過ぎないこと、及び、実際、同じ機能性を達成する多くの他のアーキテクチャが実装されることができることがさらに意図される。例えば、明確にするために、信号処理モジュール２０８、４０８は単一の処理モジュールとして示され及び説明されたが、他の実装においては、別個の処理モジュール又は論理ブロックを備えてもよい。
【００９１】
本発明は、幾つかの例示的な実施形態に関連して説明されたが、本明細書において述べられる特定の形式に限定されることは意図されない。むしろ、本発明の範囲は、添付の特許請求の範囲によってのみ限定される。また、ある特徴は特定の実施形態に関連して説明されるように見えるかもしれないが、当業者は、説明される実施形態の種々の特徴が本発明に従って組み合わされ得ることを認識するであろう。特許請求の範囲において、「備える／含む（comprising）」という用語は、他の表素又はステップの存在を排除しない。
【００９２】
さらに、個別に挙げられてはいるが、複数の手段、要素又は方法ステップは、例えば、単一のユニット又はプロセッサによって実装されてもよい。また、個別の特徴は異なる請求項において含まれ得るが、これらは場合により有利に組み合わされてもよく、異なる請求項にそのように含めることは、複数の特徴の組み合わせが実現可能及び／又は有利ではないことを意味しない。また、ある特徴を１つのカテゴリの請求項に含めることは、当該カテゴリへの限定を意味せず、むしろ、当該特徴が必要に応じて他の請求項のカテゴリに等しく適用可能であることを示す。
【００９３】
さらに、請求項における特徴の順番は、当該特徴が実行されなければならない如何なる特定の順序も意味せず、特に、方法の請求項における個別のステップの順序は、当該ステップがその順序で実行されなければならないことを意味しない。むしろ、ステップは、任意の適切な順序で実行され得る。また、単数への言及は、複数を排除しない。従って、「１つの（a）」、「１つの（an）」、「第１の（first）」、「第２の（second」」等への言及は、複数を排除しない。
【図１】
2014511600.tif 000006
【図２】
2014511600.tif 000007
【図３】
2014511600.tif 000008
【図４】
2014511600.tif 000009
【図５】
2014511600.tif 000010
【図６】
2014511600.tif 000011
【図７】
2014511600.tif 000012
【国際調査報告】
2014511600.tif 000013
2014511600.tif 000014
2014511600.tif 000015